(57)【特許請求の範囲】
【請求項１】
前端縁３に摺動用凹溝４を有する押出型材から成る後本体１と、該凹溝４内に差込まれる摺動用突片６が後端縁５に形成され左右方向へ夫々移動可能に該後本体１に連結される押出型材から成る少なくとも２基の前本体２…と、上記後本体１の左右両側に設けられたサイドカバー１７，１７と、上記前本体２の左右両側に設けられたサイドカバー１７，１７…とを、備えた整理棚に於て、上記後本体１は前半部７と後半部９を収納部前後幅寸法Ｎを可変として締結具１１にて連結して成り、かつ、上記前本体２は前半部７と後半部９を前後幅寸法Ｎを可変として締結具１１にて連結して成り、さらに、上記後本体１及び前本体２の各々の上記サイドカバー１７は、前後一方向内方へ開口する外角筒部３０，３０を有する第１部材３２と、上記外角筒部３０，３０に前後方向へスライド自在に挿入される内角筒部３１，３１を有する第２部材３３とから成り、上記内角筒部３１，３１と上記外角筒部３０，３０による雌雄結合２０にて上記サイドカバー１７の前後幅寸法Ｍを可変として組立てられていることを特徴とする整理棚。
【請求項２】
前半部７と後半部９の一方に左右方向の凹凸条部１５…を形成すると共に前後方向の長孔８…を形成し、前半部７と後半部９の他方には少なくとも２本の係止用突条１６，  １６とその間に配設される貫孔１０とを形成し、締結具１１を上記長孔８と貫孔１０に挿通して前半部７と後半部９とを連結し、さらに、該締結具１１を緩めた状態で、上記凹凸条部１５…と上記突条１６，  １６との係合の選択にて、前半部７と後半部９の重ね合わせ代Ｌを増減して、収納部前後幅寸法Ｎを可変とした請求項１記載の整理棚。
【請求項３】
サイドカバー１７の前部１８と後部１９には夫々側内方へ挿入用突部２１，  ２１が設けられ、かつ、押出型材から成る前半部７と後半部９には、凹溝２２，  ２２が左右側外方へ開口して設けられ、該凹溝２２内へ上記突部２１を挿入して、サイドカバー１７を前本体２・後本体１に取付けるように構成した請求項１記載の整理棚。
【発明の詳細な説明】
【０００１】
【産業上の利用分野】
本発明は、整理棚に関する。
【０００２】
【従来の技術】
実公平３−５２９７号に示された整理棚を本発明者は既に提案した。即ち、その整理棚は、後本体と、前本体の収納幅が固定された前後２列のものであった。
【０００３】
【発明が解決しようとする課題】
このため、多種多様の記録媒体を収納しようとすると、後本体と、前本体に、無秩序に立て掛けることとなり、必要な記録媒体を探すのに時間がかかった。また、後本体と、前本体に記録媒体が収納された状態の外観が損なわれた。
【０００４】
【課題を解決するための手段】
本発明に係る整理棚は、前端縁に摺動用凹溝を有する押出型材から成る後本体と、該凹溝内に差込まれる摺動用突片が後端縁に形成され左右方向へ夫々移動可能に該後本体に連結される押出型材から成る少なくとも２基の前本体と、上記後本体の左右両側に設けられたサイドカバーと、上記前本体の左右両側に設けられたサイドカバーとを、備えた整理棚に於て、上記後本体は前半部と後半部を収納部前後幅寸法を可変として締結具にて連結して成り、かつ、上記前本体は前半部と後半部を前後幅寸法を可変として締結具にて連結して成り、さらに、上記後本体及び前本体の各々の上記サイドカバーは、前後一方向内方へ開口する外角筒部を有する第１部材と、上記外角筒部に前後方向へスライド自在に挿入される内角筒部を有する第２部材とから成り、上記内角筒部と上記外角筒部による雌雄結合にて上記サイドカバーの前後幅寸法を可変として組立てられているものである。
【０００５】
また、前半部と後半部の一方に左右方向の凹凸条部を形成すると共に前後方向の長孔を形成し、前半部と後半部の他方には少なくとも２本の係止用突条とその間に配設される貫孔とを形成し、締結具を上記長孔と貫孔に挿通して前半部と後半部とを連結し、さらに、該締結具を緩めた状態で、上記凹凸条部と上記突条との係合の選択にて、前半部と後半部の重ね合わせ代を増減して、収納部前後幅寸法を可変としたものである。
【０００６】
また、サイドカバーの前部と後部には夫々側内方へ挿入用突部が設けられ、かつ、押出型材から成る前半部と後半部には、凹溝が左右側外方へ開口して設けられ、該凹溝内へ上記突部を挿入して、サイドカバーを前本体・後本体に取付けるように構成したものである。
【０００７】
【作用】
（請求項１によれば、）後本体及び前本体の前半部と後半部を連結した締結具を緩めれば、収納部前後幅寸法を自由自在に変化させることができる。
【０００８】
このため、収納部前後幅寸法を、後本体及び前本体に収納したいと所望する多種多様な記録媒体の幅に対して、臨機応変に対応させることができる。
【０００９】
後本体及び前本体の左右両端に設けられたサイドカバーは、該サイドカバーの前部と後部が雌雄結合しているので容易に組立てることができる。
【００１０】
また、後本体及び前本体の前半部と後半部の収納部前後移動幅に応じて、サイドカバーの前部と後部も前後移動することができる。
【００１１】
（請求項２によれば、）後本体及び前本体の前半部と後半部の一方に形成された凹凸条部と、該後本体及び該前本体の他方に形成された少なくとも２本の係止用突条の噛合にて、上記前半部と上記後半部は位置ずれしない。
【００１２】
また、後本体の前半部と前本体の前半部は同一型材に、かつ、後本体の後半部と前本体の後半部も同一型材にすることができる。
【００１３】
（請求項３によれば、）サイドカバーの前部と後部に夫々設けられた挿入用突部にて、後本体及び前本体の左右両側に、サイドカバーを容易に、かつ、がたつきなく強固に備えることができる。
【００１４】
【実施例】
図１は、多種多様な記録媒体を収納するための整理棚であり、押出型材から成る後本体１と、該後本体１に連結されている押出型材から成る２基の前本体２，２と、後本体１の左右両側と前本体２，２の左右両側に設けられたサイドカバー１７…とを、備えている。多種多様の記録媒体（例えば、ビデオテープ，オーディオテープ，８ｍｍビデオテープ，光磁気ディスク，磁気テープ，ＣＤ，フロッピーディスク等）が、後本体と、該後本体に摺動自在に設けられた前本体に収納される。
【００１５】
図２は、前本体２と、後本体１との連結部分の拡大断面図であり、後本体１は、前端縁３に摺動用凹溝４を有し、前本体２は、後端縁５に摺動用突片６を有している。
【００１６】
しかして、摺動用凹溝４に、摺動用突片６を差込むことで、前本体２を後本体１に連結する。
【００１７】
また、図２からも明らかなように、摺動用凹溝４は摺動用突片６に対して幾分余裕をもった隙間を有しているので、前本体２は、上記凹溝４の長さ方向である左右方向に自由自在に移動可能である。さらに、後本体１から前本体２を容易に離脱させることができる。
【００１８】
図３と図４と図５に示すように、後本体１及び前本体２は、夫々、前半部７と後半部９を収納部前後幅寸法Ｎを可変として締結具１１にて連結して成る。具体的には、前半部７に左右方向の凹凸条部１５…を形成し、かつ、後半部９に２本の係止用突条１６，  １６を形成する。前半部７には前後方向の長孔８…を形成し、後半部９の前半部７の長孔８…に対応する箇所には係止用突条１６，１６の間に配設される貫孔１０…を形成する。
【００１９】
しかして、図４及び図５に示す如く、締結具１１を上記長孔８と貫孔１０に挿通して前半部７と後半部９とを連結し、さらに、該締結具１１を緩めた状態で、上記凹凸条部１５…と上記突条１６，  １６との係合の選択にて、前半部７と後半部９の重ね合わせ代Ｌを増減して、収納部前後幅寸法Ｎを可変とする。なお、締結具１１は、袋ナット１２と、ナベ小ねじ１３から成る。
【００２０】
これにより、後半部９の２本の係止用突条１６，  １６と、前半部７の凹凸条部１５…が、相互に噛合し、かつ、締結具１１が挿通した後半部９の周辺には、ブリッジが形成されて弾性変形するので、上記ナベ小ねじ１３は、緩まず、かつ、収納部前後幅寸法Ｎは不意に変わらない。
【００２１】
また、締結具１１を緩めれば、前半部７と後半部９が相互に前後方向へ位置ずれ可能となるので、前半部７と後半部９の重ね合わせ代Ｌを増減して、収納部前後幅寸法Ｎを自由に変更できる。前後幅寸法Ｎを変更した後は、締結具１１を再び締め付ければよい。なお、図４は、前半部７と後半部９との重ね合わせ代Ｌを減少させて、収納部前後幅寸法Ｎを長くした場合を示し、図５は、前半部７と後半部９との重ね合わせ代Ｌを増加させて、収納部前後幅寸法Ｎを短くした場合を示す。
【００２２】
次に、サイドカバー１７は、図６に示すように、前後方向内方へ開口する外角筒部３０，  ３０を有する第１部材３２と、前部１８の外角筒部３０，  ３０に前後方向へスライド自在に挿入される内角筒部３１，  ３１を有する第２部材３３と、から成る。
【００２３】
また、図１と図６と図７と図８に示すように、サイドカバー１７は、同一部品を左右反転して後本体１と前本体２の両側に、配設される。即ち、正面から見て左側に配設されるサイドカバー１７は、前部１８が第１部材３２とされ、かつ、後部１９が第２部材３３とされる。また、正面から見て右側に配設されるサイドカバー１７は、前部１８が第２部材３３とされ、かつ、後部１９が第１部材３２とされる。
【００２４】
しかして、サイドカバー１７は、前部１８と後部１９とが、（内角筒部３１，  ３１と外角筒部３０，  ３０による）雌雄結合２０にて前後幅寸法Ｍを可変として組立てられる。
【００２５】
また、（図６にもどって）前部１８と後部１９には、夫々側内方へ挿入用突部２１，  ２１が設けられている。さらに、図４及び図５に示すように、後本体１及び前本体２の前半部７と後半部９の左右側外方に凹溝２２，  ２２が設けられている。しかして、凹溝２２，  ２２に、上記挿入用突部２１，  ２１を挿入することで、サイドカバー１７が後本体１の左右両側及び前本体２の左右両側に取付けられる（図１と図７と図８参照）。
【００２６】
上述の構成により、サイドカバー１７の前後幅寸法Ｍを、後本体１と前本体２の収納部前後幅寸法Ｎの増減に合わせて、増減させることができる（図７と図８参照）。即ち、後本体１及び前本体２の前半部７と後半部９の収納部前後幅寸法Ｎを長くした場合は、サイドカバー１７の前後幅寸法Ｍも長くなる（図７参照）。
【００２７】
また、後本体１及び前本体２の収納部前後幅寸法Ｎを短くした場合は、サイドカバー１７の前後幅寸法Ｍも短くなる（図８参照）。
【００２８】
また、サイドカバー１７の第１部材３２と第２部材３３を反転させて左右共用となるため、サイドカバー１７（前部１８と後部１９）の部品点数が少なくてすむ。
【００２９】
なお、後半部９の係止用突条１６は、少なくとも２本あれば良く、さらに３本以上とするも自由である。
【００３０】
また、前半部７に係止用突条１６，  １６を形成し、かつ、後半部９に凹凸条部１５…を形成するも好ましい。なお、図示省略したが記録媒体の左右への倒れを防止し、整理・区画のために門型の線材乃至細棒材を、取付けて使用される。（図４又は図５中の上方開口状凹溝２５，  ２６にその線材乃至細棒材の下端を係止させる。）
【００３１】
【発明の効果】
本発明は、上述の構成により次のような著大な効果を奏する。
【００３２】
（請求項１によれば、）収納部前後幅寸法Ｎを変化させることができるので、多種多様な記録媒体の前後幅に応じて、収納部前後幅寸法Ｎを対応させることができる。
【００３３】
さらに、後本体１及び前本体２の収納部前後幅寸法Ｎを夫々個々に変化させることができる。従って、一度に、後本体１及び前本体２に異なる記録媒体を整然と収納することができる。
【００３４】
また、後本体１及び前本体２の収納部前後幅寸法Ｎの増減に応じて、サイドカバー１７の前後幅寸法Ｍを、増減させることができる。また、サイドカバー１７の構造を簡単とすることができ、容易に作製できる。かつ、組立が簡単である。
【００３５】
（請求項２によれば、）前半部７と後半部９は、夫々相互に位置ずれしない。このため、収納部前後幅寸法Ｎは、不意に変わらない。
【００３６】
また、前半部７と後半部９とを、相互にがたつきなく強固に固定することができる。
【００３７】
また、後本体１と前本体２を同一型材にて形成できるので部品点数が少なくてすみ、かつ、製造コストも安価となる。
【００３８】
（請求項３によれば、）サイドカバー１７を、後本体１及び前本体２の左右両側に容易に取付けることができる。このため、工数低減ともなる。
【００３９】
サイドカバー１７を後本体１及び前本体２の左右両側にがたつき無く取付けることができる。
【００４０】
さらに、左右一方のサイドカバー１７の前部１８と他方のサイドカバー１７の後部１９を、同一の型材にて形成できると共に、左右他方のサイドカバー１７の後部１９と一方のサイドカバー１７の前部１８を、同一の型材にて形成できる。従って、左右のサイドカバー１７，  １７を、２種類の型材にて形成でき、部品点数を減少し得ると共に、製造コストを減少できる。
【図面の簡単な説明】
【図１】本発明の一実施例を示す斜視図である。
【図２】要部を示す拡大断面側面図である。
【図３】前半部と後半部の斜視図である。
【図４】前半部と後半部の側面図である。
【図５】他の前半部と後半部の側面図である。
【図６】サイドカバーの斜視図である。
【図７】後本体及び前本体の側面図である。
【図８】他の後本体及び前本体の側面図である。
【符号の説明】
１  後本体
２  前本体
３  前端縁
４  摺動用凹溝
５  後端縁
６  摺動用突片
７  前半部
８  長孔
９  後半部
１０    貫孔
１１    締結具
１５    凹凸条部
１６    係止用突条
１７    サイドカバー
１８    前部
１９    後部
２０    雌雄結合
２１    挿入用突部
２２  凹溝
Ｌ  重ね合わせ代
Ｎ  収納部前後幅寸法
【図１】
0003542663.tif 000002
【図２】
0003542663.tif 000003
【図３】
0003542663.tif 000004
【図４】
0003542663.tif 000005
【図５】
0003542663.tif 000006
【図６】
0003542663.tif 000007
【図７】
0003542663.tif 000008
【図８】
0003542663.tif 000009